(57)【特許請求の範囲】
【請求項１】
弾性要素（１２）を介して予め緊張せしめられ、弁体（７）内の弁座（９）を密封する閉鎖体（５）と、前記弾性要素（１２）と前記閉鎖体（５）とが内設されているフィルタアッセンブリ（１０）とを備えた弁、において、前記弾性要素（１２，１２ａ，１２ｂ，１２ｃ，１２ｄ）と前記フィルタアッセンブリ（１０，１０ａ，１０ｂ，１０ｃ，１０ｄ，１０ｅ，１０ｆ，１０ｇ）とが一体に形成されており、
前記フィルタアッセンブリ（１０，１０ａ，１０ｂ，１０ｃ，１０ｄ，１０ｅ，１０ｆ，１０ｇ）が少なくとも１つのフィルタ要素（１６．１，１６．３）を備えた基礎体（１４．４，１４．６）を有し、該基礎体が、一端においてフィルタ底部（１４，１４ａ，１４ｂ，１４ｃ，１４ｄ，１４ｅ）によって密閉され、他端に周回するように延在して開口するエッジ（１８）を有していることを特徴とする弁。
【請求項２】
前記弾性要素（１２，１２ａ，１２ｂ，１２ｃ，１２ｄ）が、一端において連結部（１４．１，１４．１ａ，１４．１ｂ，１４．１ｃ，１４．１ｄ）を介して前記フィルタ底部（１４，１４ａ，１４ｂ，１４ｃ，１４ｄ，１４ｅ）と結合され、他端に、前記閉鎖体（５）上に載置される載置体（１２．１，１２．１ａ，１２．１ｂ，１２．１ｃ，１２．１ｄ）を有していることを特徴とする、請求項１に記載の弁。
【請求項３】
前記弾性要素（１２）が少なくとも１つの細条部（１２ａ，１２ｂ）を含み、該細条部が長手軸線方向に一重または多重の蛇行形状を有し、該蛇行形状が前記弾性要素（１２）の前記連結部（１４．１ａ，１４．１ｂ）を起点にして前記フィルタアッセンブリの中心軸線から離間するようにまたは前記中心軸線のほうへ接近するように形成されていることを特徴とする、請求項２に記載の弁。
【請求項４】
前記弾性要素（１２，１２ｃ，１２ｄ）が１条または多条のねじ形状および／または螺旋形状を有していることを特徴とする、請求項２に記載の弁。
【請求項５】
前記フィルタアッセンブリ（１０，１０ａ，１０ｂ，１０ｃ，１０ｄ，１０ｅ，１０ｆ，１０ｇ）の前記基礎体（１４．４）が実質的に筒状に形成されていることを特徴とする、請求項１から４までのいずれか一つに記載の弁。
【請求項６】
前記フィルタアッセンブリ（１０，１０ｇ）の前記基礎体（１４．６）が、前記周回するように延在して開口しているエッジ（１８）を前記フィルタ底部（１４ｅ）と結合させている少なくとも２つの細条部を有し、前記基礎体（１４．６）の前記少なくとも２つの細条部の間に少なくとも２つのフィルタ要素（１６．３）が配置されていることを特徴とする、請求項１から５までのいずれか一つに記載の弁。
【請求項７】
前記周回するように延在して開口しているエッジ（１８）が前記フィルタ底部（１４ｅ）よりも大きな径を有し、前記フィルタアッセンブリ（１０，１０ｇ）の前記基礎体（１４．６）が、前記フィルタアッセンブリ（１０ｇ）の内側に配置される前記弾性要素（１２ｄ）と前記フィルタアッセンブリ（１０ｇ）の内側に配置される前記閉鎖体（５）とを案内する狭隘部（１４．６ａ）を有していることを特徴とする、請求項５または６に記載の弁。
【請求項８】
前記フィルタアッセンブリ（１０，１０ａ，１０ｂ，１０ｃ，１０ｄ，１０ｅ，１０ｆ，１０ｇ）が、前記基礎体（１４．４，１４．６）の前記周回するように延在して開口しているエッジ（１８）において、形状拘束的結合部および／または摩擦結合部および／または溶着部（１８．１，１８．１ａ，１８．１ｂ，１８．１ｃ）を介して前記弁体（７，７ａ，７ｂ，７ｃ）と結合可能であることを特徴とする、請求項１から７までのいずれか一つに記載の弁。
【請求項９】
前記フィルタアッセンブリ（１０ｅ）の前記基礎体（１４．４）が形状拘束的結合部および／または摩擦結合部および／または溶着部（１９．１）を介して前記フィルタ底部（１４ｄ）と結合可能であることを特徴とする、請求項１から８までのいずれか一つに記載の弁。
【発明の詳細な説明】
【技術分野】
【０００１】
本発明は、独立請求項１の種類に記載の弁、特に液圧制御される弁から出発している。
【背景技術】
【０００２】
このような液圧制御される弁は、たとえばアンチロックブレーキシステム（ＡＢＳ）および横滑り防止装置（ＥＳＰシステム）において蓄圧室弁または逆止弁として使用することができる。
【０００３】
たとえば、特許文献１からは、予め弾性付勢されるボールシートバルブをアキュムレータピストン内の突き棒を介して開口するようにした、液圧制御される蓄圧室弁が知られている。これは、弾性予付勢力と液圧作用力との間の力比率がシステムにとって特別な場合に行われる。ボールシートバルブは、通常、金属製弁体と、該弁体に圧着されたプラスチックフィルタとから成っている。フィルタは圧縮ばねとボールとを受容し、両部材の案内機能をも担っている。予め組み立てられるアッセンブリはポンプケース内に挿着され、たとえばセルフクリンチジョイントを介して固定され、密封される。ボールシートバルブの操作は、アキュムレータピストンに圧入されている金属製の筒状突き棒を介して行う。アキュムレータピストンはパッキンリングおよびガイドリングをも受容している。アキュムレータピストンと、保持かしめ部を介してポンプケースと結合されている密閉カバーとの間には、予め適宜緊張せしめられる圧縮ばねがある。その弾性力はアキュムレータピストンに対する液圧作用力に反作用し、弾性力が過剰な場合は、アキュムレータピストン・突き棒組み合わせ体を蓄圧室弁の開弁方向に変位させる。その際、ボールが突き棒によってシートから押し出されて、蓄圧室弁が開弁する。
【０００４】
たとえば、特許文献２には、自動車用液圧ブレーキ装置が説明されている。説明されているブレーキ装置は、第１の圧縮ばねを介して予め緊張せしめられて弁体内の弁座を密封する閉鎖要素を備えた、液圧制御される蓄圧室弁と、第２の圧縮ばねによって付勢されるアキュムレータピストンと結合され、弾性予緊張力と液圧作用力との間に特別の力比率があるときに閉鎖要素を弁座から押し出す突き棒とを含んでいる。
【先行技術文献】
【特許文献】
【０００５】
【特許文献１】米国特許第７５４３８９６Ｂ２号明細書
【特許文献２】独国特許出願公開第４２０２３８８Ａ１号明細書
【発明の概要】
【発明が解決しようとする課題】
【０００６】
本発明は、従来のこの種の弁、特に液圧制御される弁を改善することである。
【課題を解決するための手段】
【０００７】
本発明は、上記課題を解決するため、弾性要素を介して予め緊張せしめられ、弁体内の弁座を密封する閉鎖体と、前記弾性要素と前記閉鎖体とが内設されているフィルタアッセンブリとを備えた弁、特に液圧制御される弁において、前記弾性要素と前記フィルタアッセンブリとが一体に形成されていることを特徴とするものである。
【０００８】
従属項に述べた処置および他の構成によって、独立請求項１に記載されている弁の有利な改善が可能である。
【０００９】
特に有利なのは、フィルタアッセンブリが少なくとも１つのフィルタ要素を備えた基礎体を有し、該基礎体が、一端においてフィルタ底部によって密閉され、他端に周回するように延在して開口するエッジを有していることである。
【００１０】
本発明による弁の有利な構成では、弾性要素は、一端において連結部を介してフィルタ底部と結合され、他端に、閉鎖体上に載置される載置体を有している。閉鎖体は、たとえば、低コストなものとして入手可能なボールとして実施されている。たとえばリングとして実施され、閉鎖体上に載置される当接体には、閉鎖位置から開口位置への閉鎖体のストロークを可能にする、一体に成形された弾性要素が係合する。この弾性要素の成形は、たとえばプラスチック射出成形法を用いて、射出成形金型の型分割突起および穿孔部を適宜選択することによって行う。
【００１１】
本発明による弁の他の有利な構成では、弾性要素は少なくとも１つの細条部を含み、該細条部は長手軸線方向に一重または多重の蛇行形状を有し、該蛇行形状は弾性要素の連結部を起点にして中心軸線から離間するようにまたは中心軸線のほうへ接近するように形成されていてよい。有利には、複数の、たとえば２つまたは３つの、細条部として実施される蛇行形状が、３６０゜の周にわたって均一にまたは不均一に配分されている。これとは択一的に、弾性要素は１条または多条のねじ形状および／または螺旋形状を有していてよい。多条の実施態様は、周方向に均一にまたは意図的に不均一に配分されている複数の力導入点により、閉鎖体に対して横力が作用せず、或いは、作用してもわずかであり、閉鎖体の直線状開口運動が容易になるという利点を提供する。他方、特別な横力および閉鎖体の非直線状の開口運動も望ましい場合があり、これは、たとえば、適当な流動力および／または所定の流動案内との関連で、力が最適な所定の開弁または所定の反応を可能にするために設定される。両実施態様の代わりに、フィルタアッセンブリに取り込まれる圧縮ばね機構を使用してもよい。
【００１２】
本発明による弁の他の有利な構成では、フィルタアッセンブリの基礎体は実質的に筒状に形成されていてよい。さらに、フィルタアッセンブリの基礎体は、周回するように延在して開口しているエッジをフィルタ底部と結合させている少なくとも２つの細条部を有し、この場合基礎体の少なくとも２つの細条部の間に少なくとも２つのフィルタ要素が配置されていてよい。これとは択一的に、フィルタ要素自体を十分な剛性を備えるように実施して、結合細条部の課題を担わせてよい。
【００１３】
本発明による弁の他の有利な構成では、周回するように延在して開口しているエッジはフィルタ底部よりも大きな径を有し、この場合フィルタアッセンブリの基礎体は、フィルタアッセンブリの内側に配置されるフィルタ要素および／またはフィルタアッセンブリの内側に配置される閉鎖体とを案内する狭隘部を有していてよい。これによって、フィルタアッセンブリの基礎体は、有利には、弾性要素および／または閉鎖体の半径方向でのガイドおよび支持の課題をも担うことができる。狭隘部は、たとえば、大きな半径を備えた少なくとも２つの結合細条部によって形成することができる。これによって弾性要素および／または閉鎖体の半径方向への偏向を制限することができる。特に弾性要素に対しては、この付加機能は、横方向への偏向が小さく、且つ荷重が小さいために、寿命を長くさせる作用を有することができる。これとは択一的に、弾性要素および／または閉鎖体の前記案内および／または支持を、弾性機能および／または閉鎖体を無理やりに所定の偏心運動、非直線運動または他の形態の運動に「強制」し、開口時、閉鎖時または中間位置にあるときの有利な効果（たとえば閉鎖体がスライドするのではなく、転動するなど）を達成させるために用いてもよい。
【００１４】
本発明による弁の他の有利な構成では、フィルタアッセンブリは、基礎体の周回するように延在して開口しているエッジにおいて、形状拘束的結合部および／または摩擦結合部および／または溶着部を介して弁体または流体ブロックと結合させることができる。フィルタアッセンブリを弁体上に固定することにより、閉鎖体とともに、有利に簡単且つ迅速に予め組み立てられ、その後組み立てアッセンブリとして流体ブロックまたはポンプケースに組み込むことのできる１つのアッセンブリを形成させることができる。変位可能で且つ位置調整可能なスナップ結合部またはクリップ結合部により、フィルタアッセンブリの周回するように延在して開口しているエッジを形状拘束的に弁体上に取り付け、保持させることができる。閉鎖体に対する弾性要素の力調整は、スナップ結合部またはクリップ結合部を変位させることによって行うことができる。これとは択一的に、フィルタアッセンブリの周回するように延在して開口しているエッジを、圧着により完全に摩擦結合で弁体上に固定してよい。この場合、実施態様に応じては、弾性力作用のための可能な位置調整距離を大きくさせることができる。というのは、スナップ結合部またはクリップ結合部に対する構成長さを厳守する必要がないからである。また、摩擦結合は、スナップ結合部またはクリップ結合部を可逆結合部として実施するよりも簡単に実施することができる。というのは、スナップ結合部またはクリップ結合部は何よりもまず対応的に構成しなければならないからである。これとは択一的に、フィルタアッセンブリを、周回するように延在して開口しているエッジを介して、たとえば超音波溶接のような他の可逆性または非可逆性結合態様によっても、弁体と結合させることができる。当該結合態様は、フィルタアッセンブリと流体ブロックまたはポンプケースとの結合に対しても対応的に使用することができる。
【００１５】
本発明による弁の他の有利な構成では、フィルタアッセンブリの基礎体は形状拘束的結合部および／または摩擦結合部および／または溶着部を介してフィルタ底部と結合させることができる。これにより、一体に組み込んだ弾性要素の弾性力を、この結合部の形成中に調整することができるので有利である。超音波溶接のような結合態様に対しては、プラスチックから成る部品が考えられる。これにより、コスト上の観点で有利な、弾性要素の拡張性が、位置調整のみで与えられているので有利である。
【発明の効果】
【００１６】
独立請求項１の構成を備えた本発明による弁は、従来のものに比べて、個々の部品の製造が容易であり、製造コストを低減できるという利点がある。フィルタアッセンブリに圧縮ばね機能を取り込み、該フィルタアッセンブリを弾性要素と一体に実施することにより、弁の極めて低コストの製造が可能である。好ましくは、本発明による弁の実施態様は、液圧制御される弁として実施されている。フィルタアッセンブリは、たとえば、弾性要素を含み、ダイレクトに射出成形される一体のプラスチック要素として実施することができる。
【図面の簡単な説明】
【００１７】
本発明の実施例が図面に示されており、以下の説明で詳細に説明する。図面では、同じ符号は同じ機能または類似の機能を行う構成部材または要素を表わしている。
【図１】本発明による液圧で制御される弁の２つの実施例を備えた弁装置の縦断面図である。
【図２】本発明による液圧で制御される弁のための弾性要素の１つの実施例の図である。
【図３】本発明による液圧で制御される弁の他の２つの実施例を備えた弁装置の縦断面図である。
【図４】本発明による液圧で制御される弁の他の２つの実施例を備えた弁装置の縦断面図である。
【図５】本発明による液圧で制御される弁の他の１つの実施例を備えた弁装置の縦断面図である。
【発明を実施するための形態】
【００１８】
図１ないし図５から明らかなように、図示した実施例ではそれぞれ液圧で制御される弁１，１ａ，１ｂ，１ｃ，１ｄ，１ｅ，１ｆ，１ｇとして実施されている本発明による弁１，１ａ，１ｂ，１ｃ，１ｄ，１ｅ，１ｆ，１ｇの実施形態は、それぞれ、弾性要素１２，１２ａ，１２ｂ，１２ｃ，１２ｄを介して予め緊張せしめられ、弁体７，７ａ，７ｂ，７ｃ内の弁座９を密封している閉鎖体５と、弾性要素１２，１２ａ，１２ｂ，１２ｃ，１２ｄおよび閉鎖体５を内設したフィルタアッセンブリ１０，１０ａ，１０ｂ，１０ｃ，１０ｄ，１０ｅ，１０ｆ，１０ｇとを含んでいる。本発明によれば、弾性要素１２，１２ａ，１２ｂ，１２ｃ，１２ｄはフィルタアッセンブリ１０，１０ａ，１０ｂ，１０ｃ，１０ｄ，１０ｅ，１０ｆ，１０ｇ内に一体に実施されており、その結果フィルタアッセンブリ１０，１０ａ，１０ｂ，１０ｃ，１０ｄ，１０ｅ，１０ｆ，１０ｇに圧縮ばね機能を取り込むことができる。
【００１９】
図１ないし図５からさらに明らかなように、フィルタアッセンブリ１０，１０ａ，１０ｂ，１０ｃ，１０ｄ，１０ｅ，１０ｆ，１０ｇは、少なくとも１つの第１のフィルタ要素１６．１，１６．３を備えた基礎体１４．４，１４．６を有し、該基礎体は、一端において、少なくとも１つの第２のフィルタ要素１６．２，１６．４を備えたフィルタ底部１４，１４ａ，１４ｂ，１４ｃ，１４ｄ，１４ｅによって密閉され、他端に、周回するように延在して開口しているエッジ１８を有している。弾性要素１２，１２ａ，１２ｂ，１２ｃ，１２ｄは、一端において、連結部１４．１，１４．１ａ，１４．１ｂ，１４．１ｃ，１４．１ｄを介してフィルタ底部１４，１４ａ，１４ｂ，１４ｃ，１４ｄ，１４ｅと結合され、他端に、好ましくはボールとして実施される閉鎖体５上に載置されている載置体１２．１，１２．１ａ，１２．１ｂ，１２．１ｃ，１２．１ｄを有している。フィルタアッセンブリ１０，１０ａ，１０ｂ，１０ｃ，１０ｄ，１０ｅ，１０ｆ，１０ｇは、基礎体１４．４，１４．６の周回するように延在して開口しているエッジ１８において、形状拘束的結合部および／または摩擦結合部および／または溶着部１８．１，１８．１ａ，１８．１ｂ，１８．１ｃを介して弁体７，７ａ，７ｂ，７ｃまたは流体ブロック３と結合可能である。
【００２０】
図示した実施例では、弁座９を担持している弁体７，７ａ，７ｂは、取り囲んでいる流体ブロック３またはポンプケースに対する結合部の用を成している。それ故、図示した実施例では、フィルタアッセンブリ１０，１０ａ，１０ｂ，１０ｃ，１０ｄ，１０ｅ，１０ｆ，１０ｇは弁体７，７ａ，７ｂに固定されている。フィルタアッセンブリ１０，１０ａ，１０ｂ，１０ｃ，１０ｄ，１０ｅ，１０ｆ，１０ｇを弁体７，７ａ，７ｂに固定することにより、閉鎖体５とともに、有利には予め組み立てられてその後取り付けアッセンブリとして流体ブロック３またはポンプケースに取り付けられる１つのアッセンブリが形成される。取り付けアッセンブリは、たとえば、流体ブロックまたはポンプケースに形成される段付き受容孔４のかしめ領域３．１に弁体７，７ａ，７ｂをかしめることによって取り付けることができる。受容孔はフィルタアッセンブリ１０，１０ａ，１０ｂ，１０ｃ，１０ｄ，１０ｅ，１０ｆ，１０ｇを受容している。このように予め組み立てるという利点があるため、以下では、フィルタアッセンブリ１０，１０ａ，１０ｂ，１０ｃ，１０ｄ，１０ｅ，１０ｆ，１０ｇと弁体７，７ａ，７ｂとの結合部１８．１，１８．１ａ，１８．１ｂ，１８．１ｃのみについて説明する。もちろん、以下に説明する結合部のほとんどは、フィルタアッセンブリ１０，１０ａ，１０ｂ，１０ｃ，１０ｄ，１０ｅ，１０ｆ，１０ｇと流体ブロック３またはポンプケースとの間にも形成させることができる。
【００２１】
本発明による弁１，１ａ，１ｂ，１ｃ，１ｄ，１ｅ，１ｆ，１ｇの実施形態は、たとえば自動車の液圧ブレーキシステムにおけるＡＢＳ機能および／またはＥＳＰ機能を実施するための逆止弁または蓄圧室弁として使用することができる。
【００２２】
図１からさらにわかるように、図示した弁装置は、逆止弁として構成されて流体ブロック３またはポンプケースの段付き受容孔４内に配置されている本発明による弁１，１ａ，１ｂの２つの実施例を示している。なお、図１の左半分は弁１ａの第１実施例を示すもので、図１の右半分は弁１ｂの第２実施例を示している。図１に示したこれら実施例の場合、ストッパーリングとして実施されている載置体１２．１，１２．１ａ，１２．１ｂは閉鎖体５上に着座し、この場合ストッパーリングとして実施されている載置体１２．１，１２．１ａ，１２．１ｂには、閉鎖位置から図示の開口位置への閉鎖体５のストロークを可能にする、一体成形された弾性要素１２，１２ａ，１２ｂが係合している。この弾性要素１２，１２ａ，１２ｂの成形は、たとえばプラスチック射出成形法において、射出成形金型の型分割突起および穿孔部を適宜選択することによって行う。弾性要素１２，１２ａ，１２ｂを、長手軸線方向に一重または多重の蛇行形状をもつように成形するため、フィルタ底部１４，１４ａ，１４ｂには射出成形金型用の穿孔部１４．２，１４．２ａ，１４．２ｂが設けられている。穿孔部１４．２，１４．２ａ，１４．２ｂは、図示していない他のフィルタ要素を追加的に差し込むことによって覆うことができる。これとは択一的に、フィルタアッセンブリ１０，１０ａ，１０ｂの基礎体１４．４と弾性要素１２，１２ａ，１２ｂとを互いに切り離してたとえばプラスチック射出成型品として製造してよい。この製造態様によれば、弾性要素１２，１２ａ，１２ｂと基礎体１４．４との連結部１４．１，１４．１ａ，１４．１ｂをたとえば接着結合部または溶着部として実施することができる。
【００２３】
図１からさらにわかるように、左側に図示した弁１，１ａの第１実施例での弾性要素１２は、長手軸線方向に一重または多重の蛇行形状を有している少なくとも１つの細条部１２ａを含んでいる。蛇行形状は弾性要素１２ａの連結部１４．１ａを起点として中心軸線から離間するように形成されている。右側に図示した弁１，１ｂの第２実施例では、弾性要素１２は長手軸線方向に一重または多重の蛇行形状を有している少なくとも１つの細条部１２ｂを含んでいる。この蛇行形状は、弾性要素１２ｂの連結部１４．１ｂを起点として中心軸線のほうへ接近するように形成されている。図示した蛇行形状はそれぞれ細条部１２ａ，１２ｂとして実施され、この場合たとえば２つまたはそれ以上の細条部１２ａ，１２ｂを３６０゜の周にわたって分割して配置してよい。
【００２４】
図１からさらにわかるように、両実施例の場合、フィルタアッセンブリ１０，１０ａ，１０ｂは、基礎体１４．４の周回するように延在している開口したエッジ１８であって弁体７，７ａ内の対応する突出部を取り囲んでいる前記エッジ１８に設けた、変位可能且つ位置調整可能なスナップおよび／またはクリップ結合部１８．１，１８．１ａによって、弁体７，７ａ上に形状拘束的に取り付けられ、保持されている。弾性要素１２，１２ａ，１２ｂの力調整は、矢印方向に沿ってスナップおよび／またはクリップ結合部１８．１，１８．１ａを変位させることによって行うことができる。
【００２５】
弾性要素１２，１２ｃの択一的な実施形態を図２に示すが、この実施形態は図３および図４を参照して説明する本発明による弁１，１ｃ，１ｄ，１ｅ，１ｆの実施例で使用される。図２からわかるように、弾性要素１２，１２ｃは、１条または多条のねじ形状および／または螺旋形状および／またはこれら両形状の組み合わせを有していてよい。弾性要素１２，１２ｃを多条に実施すると、周方向に均一にまたは意図的に不均一に配分した複数個の力導入点によって、横力が閉鎖体５に作用せず、或いは、作用してもわずかであるという利点が得られ、これによって閉鎖体５の直線的開口運動が容易になる。他方、たとえば流動力および／または流動案内との関連で、力を最適にした所定の開口または特別な反応を達成するために、特定の所定の横力によって閉鎖体５の開口運動を非直線的にしてもよい。図２は弾性要素１２，１２ｃの１条の実施形態を示しており、該弾性要素は一端において連結部１４．１，１４．１ｃを介してフィルタ底部１４，１４ｃと結合されているとともに、他端において、ストッパーリングとして実施されている載置体１２．１，１２．１ｃに一体に成形されている。
【００２６】
図３からさらにわかるように、図示した弁装置は本発明による弁１，１ｃ，１ｄの２つの実施例を示している。この弁は蓄圧室弁として実施されており、流体ブロック３またはポンプケースの段付き受容孔４内に配置されている。なお、図３の左半分は弁１ｃの第３実施例を示し、図３の右半分は弁１ｄの第４実施例を示している。図３に図示したこれら実施例の場合、ストッパーリングとして実施されている載置体１２．１，１２．１ｃが閉鎖体５上に載置され、この場合ストッパーリングとして実施されている載置体１２．１，１２．１ｃに、一体に成形された１条の螺旋状および／またはねじ状の弾性要素１２，１２ｃが係合し、該弾性要素は閉鎖位置から図示した開口位置への閉鎖体５のストロークを可能にする。蓄圧室弁１，１ｃ，１ｄの図示したこれら実施例の場合、閉鎖体５は、蓄圧室６内で可動に案内されているアキュムレータピストン２０と結合されている突き棒２２によって弁座９から押し出すことができる。この目的のため、突き棒２２は弁体７，７ａ，７ｂ内に設けた首状の狭隘部であってそのエッジに弁座９を形成した前記狭隘部を貫通し、弾性予緊張力と液圧作用力との間に特別な力比率が生じたときに、閉鎖体５を弁座９から押し出す。
【００２７】
図３からさらにわかるように、左側に図示した弁１，１ｃの第３実施例の場合、フィルタアッセンブリ１０，１０ｃは圧力ばめ部１８．１，１８．１ｂを介して完全に摩擦結合で弁体７，７ｂ上に固定されている。弾性要素１２，１２ｃの力調整は、矢印方向に沿って圧力ばめ部１８．１，１８．１ｂを変位させることによって行うことができる。この場合、スナップおよび／またはクリップ結合用の構成長さを確保する必要がないので、実施形態に応じては、弾性力作用のための可能な調整力は比較的大きくすることができる。
【００２８】
図３からさらにわかるように、右側に図示した弁１，１ｄの第４実施例の場合、フィルタアッセンブリ１０，１０ｄは、図１の第１および第２実施例に対応して、基礎体１４．４の周回するように延在している開口したエッジ１８であって弁体７，７ａ内の対応する突出部を取り囲んでいる前記エッジ１８に設けた、変位可能且つ位置調整可能なスナップおよび／またはクリップ結合部１８．１，１８．１ａによって、弁体７，７ａ上に形状拘束的に取り付けられ、保持されている。弾性要素１２，１２ｃの力調整は、矢印の方向に沿ってスナップおよび／またはクリップ結合部１８．１，１８．１ａを変位させることによって行うことができる。
【００２９】
図３からさらにわかるように、フィルタアッセンブリ１０，１０ｃ，１０ｄは、図３に鎖線で示したように、流体ブロック３またはポンプケースに設けた段付きの受容孔４の縮径部で軸線方向に支持することができる。これにより、フィルタアッセンブリ１０，１０ｃ，１０ｄと弁体７，７ａ，７ｂとの間の結合部１８．１，１８．１ａ，１８．１ｂに対するスラスト力を軽減することができる。しかしながら、このためには、関与部品の厳密な公差設定が必要であり、高コストになる。また、この場合には圧縮ばね力の調整は不可能であり、或いは、制限的にのみ可能である。
【００３０】
図４からさらにわかるように、図示した弁装置は本発明による弁１，１ｃ，１ｄの２つの実施例を示すもので、これらの実施例は、図３の実施例に対応して蓄圧室弁として実施され、流体ブロック３またはポンプケースの段付きの受容孔４内に配置されている。なお、図４の左半分は弁１ｅの第５実施例を示すもので、図４の右半分は弁１ｆの第６実施例を示している。図４に図示したこれら実施例では、図３に図示した実施例に対応して、ストッパーリングとして実施されている載置体１２．１，１２．１ｃは閉鎖体５上に着座している。ストッパーリングとして実施されている載置体１２．１，１２．１ｃには、一体に成形された１条の螺旋状および／またはねじ状の弾性要素１２，１２ｃが係合し、該弾性要素は閉鎖位置から図示した開口位置への閉鎖体５のストロークを可能にする。図４に図示した蓄圧室弁１，１ｅ，１ｆの実施例においても、閉鎖体５は、蓄圧室６内で可動に案内されているアキュムレータピストン２０と結合されている突き棒２２によって弁座９から押し出すことができる。
【００３１】
図４からさらにわかるように、フィルタアッセンブリ１０，１０ｅの一部（ここではフィルタアッセンブリ１０，１０ｅの筒状の基礎体１４．４）は、左側に図示した弁１，１ｅの第５実施例の場合、底部領域上方で、可逆性または非可逆性結合態様部１９．１によって、フィルタアッセンブリ１０，１０ｅの他の一部（ここではフィルタ底部１４，１４ｄまたは上方へ延長された弁体７）と結合させることができる。可逆性または非可逆性結合態様部１９．１はたとえば形状拘束的結合部および／または摩擦結合部および／または溶着部によって形成することができる。有利には、この結合部１９．１を製造している間に矢印の方向に沿って該結合部１９．１を変位させることによって、一体に組み込まれた弾性要素１２，１２ｃの弾性力を調整することができる。たとえば超音波溶接のような結合態様に対しては、プラスチックから成る部品が考えられる。これにより、コストの点で有利な、弾性要素１２，１２ｃの拡張性が、位置調整のみで与えられている。
【００３２】
図４からさらにわかるように、左側に図示した弁１，１ｅの第５実施例の場合、図１および図３の第１、第２および第３実施例に対応して、フィルタアッセンブリ１０，１０ｅは、基礎体１４．４の周回するように延在している開口したエッジ１８であって弁体７，７ａ内の対応する突出部を取り囲んでいる前記エッジ１８に設けたスナップ結合部および／またはクリップ結合部１８．１，１８．１ａによって、弁体７，７ａ上に形状拘束的に取り付けられ、保持されている。しかしながら、スナップ結合部および／またはクリップ結合部１８．１，１８．１ａの位置は、他のスナップおよび／またはクリップ結合部１８．１，１８．１ａとは異なり、位置固定して設けられている。というのは、弾性要素１２，１２ｃの力調整は、フィルタアッセンブリ１０，１０ｅの底部領域に結合部１９．１を形成する際に行われるからである。
【００３３】
図４からさらにわかるように、右側に図示した弁１，１ｆの第６実施例の場合、フィルタアッセンブリ１０，１０ｆは、基礎体１４．４の周回するように延在している開口したエッジ１８において、たとえば超音波溶接のような溶着部１８．１，１８．１ｃによって弁体７，７ｃと結合されている。有利な態様では、この結合部１８．１，１８．１ｃを製造している間に矢印の方向に沿って結合部１８．１，１８．１ｃを変位させることによって、一体に組み込んだ弾性要素１２，１２ｃの弾性力を調整することができる。
【００３４】
上述した、外側にあるフィルタアッセンブリ１０および内側にある弁体７との結合態様部１８．１の代わりに、内側にあるフィルタアッセンブリ１０および外側にある弁体７を備えた実施形態も可能である。上述した結合態様部以外に、フィルタアッセンブリ１０と弁体７との間に結合部１８．１を形成するための他の適当な可逆性または非可逆性結合態様部ももちろん使用することができる。
【００３５】
図５からさらにわかるように、図示した弁装置は本発明による弁１，１ｇの第７実施例を示しており、この実施例は、図３および図４の実施例に対応して、蓄圧室弁として実施され、流体ブロック３またはポンプケースの段付き受容孔４内に配置されている。図５に図示した弁１，１ｇの実施例の場合、図３および図４の実施例に対応して、ストッパーリングとして実施されている載置体１２．１，１２．１ｄは閉鎖体５上に載置され、この場合ストッパーリングとして実施されている載置体１２．１，１２．１ｄには、一体に成形された螺旋状および／またはねじ状の弾性要素１２，１２ｄが係合し、該螺旋状および／またはねじ状の弾性要素は完全螺旋山および／または完全ねじ山を有しておらず、閉鎖位置から図示した開口位置への閉鎖体５のストロークを可能にする。蓄圧室弁１，１ｇの図５に図示した実施例の場合も、閉鎖体５は、蓄圧室６内で可動に案内されているアキュムレータピストン２０と結合されている突き棒２２によって弁座９から押し出すことができる。
【００３６】
図５からさらにわかるように、フィルタアッセンブリ１０，１０ｇは、一体に組み込まれた弾性要素１２，１２ｄおよび／または閉鎖体５の半径方向での案内および支持の課題をも担っている。これにより、一体に組み込まれた弾性要素１２，１２ｄおよび／または閉鎖体５の半径方向偏向を制限できるので有利である。これとは択一的に、一体に組み込まれた弾性要素１２，１２ｄおよび／または閉鎖体５を無理やりに所定の偏心運動、非直線運動または他の形態の所定の運動に「強制」し、開口時、閉鎖時または中間位置にあるときの有利な効果を達成させるために、該一体に組み込まれた弾性要素１２，１２ｄおよび／または閉鎖体５の案内／支持を使用してよい。
【００３７】
図５からさらにわかるように、フィルタアッセンブリ１０，１０ｇの基礎体１４．６は、周回するように延在している開口したエッジ１８をフィルタ底部１４，１４ｅと結合させている少なくとも２つの細条部を有している。この場合、基礎体１４．６の少なくとも２つの細条部の間には少なくとも２つのフィルタ要素１６．３が配置されている。周回するように延在している開口したエッジ１８はフィルタ底部１４ｅよりも大きな径を有し、その結果少なくとも２つの結合細条部は、フィルタアッセンブリ１０，１０ｇの内側に配置されている弾性要素１２，１２ｄとフィルタアッセンブリ１０，１０ｇの内側に配置されている閉鎖体５とを案内する狭隘部１４．６ａを形成している。細条部はエッジまたは成形継目のない大きな半径を有し、それにもかかわらずフィルタ貫流機能を良好にするために十分なフィルタ面を提供している。
【００３８】
図５からさらにわかるように、図示した第７実施例では、図１および図３の第１、第２および第４の実施例に対応して、フィルタアッセンブリ１０，１０ｇは、基礎体１４．４の周回するように延在している開口したエッジ１８であって弁体７，７ａ内の対応する突出部を取り囲んでいる前記エッジ１８に設けたスナップおよび／またはクリップ結合部１８．１，１８．１ａによって、弁体７，７ａ上に形状拘束的に取り付けられ、保持されている。有利な態様では、矢印の方向に沿って結合部１８．１，１８．１ａを変位させることによって、一体に組み込んだ弾性要素１２，１２ｄの弾性力を調整することができる。
【００３９】
もちろん、図１ないし図６の実施例におけるフィルタアッセンブリ１０の筒状基礎体１４．６も、周回するように延在している開口したエッジ１８をフィルタ底部１４と結合させる少なくとも２つの細条部を有していてよい。この場合、筒状基礎体１４．６の少なくとも２つの細条部の間に少なくとも２つのフィルタ要素１６．３が配置されている。これとは択一的に、上述した実施例では、フィルタ要素１０を、十分な剛性を備えるように実施して結合細条部の課題を担うようにしてよく、その結果フィルタアッセンブリ１０の基礎体１４．４，１４．６は結合細条部を有さなくてもよく、或いは、複数個の結合細条部を有していてもよく、或いは、１つの結合細条部のみを有していてもよい。
【符号の説明】
【００４０】
５  閉鎖体
７  弁体
９  弁座
１０，１０ａ，１０ｂ，１０ｃ，１０ｄ，１０ｅ，１０ｆ，１０ｇ  フィルタアッセンブリ
１２，１２ａ，１２ｂ，１２ｃ，１２ｄ  弾性要素
【図１】
0006422202.tif 000002
【図２】
0006422202.tif 000003
【図３】
0006422202.tif 000004
【図４】
0006422202.tif 000005
【図５】
0006422202.tif 000006